(57)【特許請求の範囲】
【請求項１】
局部洗浄を行うノズル装置を収納した衛生洗浄装置において、
前記ノズル装置は、適温の洗浄水を流通させる流路を内部に２系統備える洗浄ノズルをガイドベース上に滑動自在に保持して駆動ユニットによって往復移動可能とするとともに、
洗浄水を洗浄ノズルの任意の流路に切換えて給送する回転ドラムを回転自在に収容した流路切換装置を設け、
前記ガイドベースに保持した駆動源で前記洗浄ノズルをガイドベース上に往復移動させたときに、洗浄ノズルの進退動作によって前記回転ドラムを回転させることにより洗浄水の流路を切り換えるように構成したことを特徴とする衛生洗浄装置。
【請求項２】
前記流路切換装置には前記回転ドラムと共動回転するピニオンを取付け、このピニオンを前記ガイドベースの洗浄ノズルの進退範囲に設けたラックと噛合させることにより、前記洗浄ノズルの進退動作によって前記回転ドラムを回転させることを特徴とする請求項１記載の衛生洗浄装置。
【発明の詳細な説明】
【０００１】
【産業上の利用分野】
本発明は、人体の局部を洗浄する衛生洗浄装置に係り、その目的とするところは、前記人体の局部に向けて適温の洗浄水を噴射する簡素な構成のノズル装置と、このノズル装置と洗浄水を適温に貯湯する貯湯タンクとを接続する配管系統の改良に関する。
【０００２】
【従来の技術】
従来から、局部洗浄機能を備えた衛生洗浄装置は、温水化した洗浄水をノズル装置により局部に向けて噴射する構造が一般的に用いられており、その一例を図１８，１９に示す。図１８，１９において、便器本体１０１にケーシング１０２が固定され、このケーシング１０２には図示しない便座，便蓋が開閉自在に取付けられている。そして、衛生洗浄装置１００の前記ケーシング１０２の内部には、水道水を適温に加熱して貯湯するタンク１０３、洗浄後の局部を乾燥させる温風ファンを備えた温風機１０４や洗浄水，温風を適温に制御する制御装置１０５等が具備されており、前記各機能部の操作は、ケーシング１０２の上面側部に設けた操作部１０６によって行う。
【０００３】
又、図１８に示すノズル装置１０７は、洗浄ノズル１０８とこの洗浄ノズル１０８の先端に突設したノズルヘッド１１３により概略構成されている。そして、前記ノズル装置１０７の洗浄ノズル１０８には、ケーシング１０２内に収容したバルブユニット１１０，貯湯タンク１０３，流量調節弁１１１を経て耐熱性に優れた合成樹脂、ゴムからなる可撓性の洗浄水供給管Ａ，Ｂを接続する。そして、前記ノズル装置１０７は洗浄水供給管Ａ，Ｂと連接された洗浄ノズル１０８をスライダ１０９上に乗載し、この洗浄ノズル１０８を駆動モータ１１２にベルト等を用いて機械的に駆動連結させて進退可能に作動させ、又、洗浄ノズル１０８を駆動する前記駆動モータ１１２をはじめ、前記洗浄水の供給を行うバルブユニット１１０及び流量調節弁１１１の動作は、すべて制御装置１０５からの指令信号にて駆動制御されるように構成されている。
【０００４】
そして、前記ノズル装置１０７の洗浄ノズル１０８は駆動モータ１１２によって所定の洗浄位置まで進出し、洗浄水を洗浄ノズル１０８先端のノズルヘッド１１３から噴出させて局部を洗浄するように構成されている。
【０００５】
【発明が解決しようとする課題】
然るに、前記構成の衛生洗浄装置１００においては、次に示すような問題があった。
（１）、洗浄水を適温に加熱して貯湯するタンク１０３は、一般に円筒形をなして縦長に形成されていたので、例えば、バルブユニット１１０，流量調節弁１１１とともに、図１９で示すように、ケーシング１０２の左側に便器本体１０１から側方に突出した状態で形成した袖部１０２ａ内に収納されている。一方、ノズル装置１０７は、駆動モータ１１２の駆動によりケーシング１０２の中央部から便器本体１０１内に向かって進退するように前記ケーシング１０２のほぼ中央部に収納されているので、前記流量調節弁１１１とノズル装置１０７とを接続する洗浄水供給管Ａ，Ｂの配管距離が必然的に長くなるという問題があった。
【０００６】
（２）、しかも、前記洗浄水供給管Ａ，Ｂは図１９で示すように、制御装置１０５の後背部に制御装置１０５の配線と平行して配管接続されているので、洗浄ノズル１０８を駆動用モータ１１２により進退させる場合、洗浄ノズル１０８の進退動作に追随して揺動することになる結果、前記洗浄水供給管Ａ，Ｂが揺動する都度、制御装置１０５の配線の一部が追随して揺動するため、配線の断線事故を誘発するという問題があった。
【０００７】
（３）、又、ノズル装置１０７に洗浄水を供給する流量調節弁１１１は、これまで、例えば、モータ駆動によって回転するロータを備え、このロータの回転角度によって止水及び流量の調整を行うものを使用していたので、衛生洗浄装置１００はノズル装置１０７と流量調節弁１１１のそれぞれに駆動用モータを必要とすることとなり、この結果、コスト高を招くことはもとより、流量調節弁１１１自体も制御装置１０５により駆動制御しなければならないので、制御装置１０５の制御が複雑化する等、衛生洗浄装置１００を必要以上の多くの部品により構成することになるため、機器が大型化するとともに、部品点数の増加により製作工数が嵩み、これにより、その製造コストを高くするという問題があった。
【０００８】
本発明は、前記の種々な問題に鑑み、ノズル装置と洗浄水を貯湯するタンクとの配管構造を簡素化するとともに、電動式の流量調節弁を廃止してノズル装置の洗浄ノズルを、その駆動と連動させて洗浄水の流路切換装置を起動させ、洗浄水を所定の位置で迅速・確実に噴出させるようにした衛生洗浄装置の洗浄ノズル駆動装置を提供することにある。
【０００９】
【課題を解決するための手段】
請求項１記載の発明では、局部洗浄を行うノズル装置を収納した衛生洗浄装置において、前記ノズル装置は、適温の洗浄水を流通させる流路を内部に２系統備える洗浄ノズルをガイドベース上に滑動自在に保持して駆動ユニットによって往復移動可能とするとともに、洗浄水を洗浄ノズルの任意の流路に切換えて給送する回転ドラムを回転自在に収容した流路切換装置を設け、前記ガイドベースに保持した駆動源で前記洗浄ノズルをガイドベース上に往復移動させたときに、洗浄ノズルの進退動作によって前記回転ドラムを回転させることにより洗浄水の流路を切り換えるように構成した。
【００１０】
請求項２記載の発明では、前記流路切換装置には前記回転ドラムと共動回転するピニオンを取付け、このピニオンを前記ガイドベースの洗浄ノズルの進退範囲に設けたラックと噛合させることにより、前記洗浄ノズルの進退動作によって前記回転ドラムを回転させることとした。
【００１３】
【作用】
本発明は、ノズル装置の洗浄ノズルが、洗浄水を適温に加熱し保温する貯湯タンクに対して一本の可撓性に優れた給湯管を用いて接続し、貯湯タンク内の洗浄水を局部洗浄時、前記給湯管を介して洗浄ノズルの流路切換装置に供給し、洗浄ノズルの進退度合と連動して動作する流路切換装置から洗浄水を洗浄ノズルの所定の流路に通水させ、流路先端のノズルヘッドの噴出孔から洗浄水を噴出させて局部洗浄を行うように構成されているので、洗浄ノズルに洗浄水を供給する配管系統の簡易化がはかれるとともに、ノズル装置と流路切換装置を駆動する駆動源は１つで兼用できるため、ノズル装置を含めた衛生洗浄装置の構造を極めて簡素化することができる。
【００１４】
洗浄水の流路を切換える流路切換装置は、ノズル装置の洗浄ノズル後背部に形成されて、洗浄ノズルの進出度合に対応して洗浄ノズル内の所定の流路を通って洗浄水を噴出できるように構成されているので、ノズル装置を簡素な構造で製作することができる。
【００１５】
しかも、洗浄ノズルと流路切換装置は、一つの駆動源で洗浄ノズルを進退させる際、洗浄ノズルを係載するガイドベースに形成したラックと噛合して回転するピニオンによって駆動できるように構成されているので、洗浄ノズルの駆動装置の簡易化がはかれるとともに、この洗浄ノズルと貯湯タンクは、一本の給湯管により接続されているだけであるので、ノズル装置自体を簡易に、かつ、経済的に製造することができる。
【００１６】
【実施例】
以下、本発明の実施例を、図１ないし図１７により説明する。図１は衛生洗浄装置を便器本体に据付けた状態を示す斜視図、図２は同じく平面図である。図１，２において、１は便器本体２の上面後背部を利用して設置した衛生洗浄装置で、この衛生洗浄装置１は、上ケーシング３ａと下ケーシング３ｂとによって内部に所要の空間を備えた状態で、前記下ケーシング３ｂを便器本体２に固定することにより据付けられる。また、前記上ケーシング３ａには、便座４及び便蓋５が図示しない枢支手段により開閉自在に取付けられている。
【００１７】
次に、衛生洗浄装置１の内部構造について説明する。図２に示す６は前記衛生洗浄装置１側方（図２の左側）の給水源（図示せず）と貯湯タンク７との間に配置したバルブユニットで、水道圧調節用の減圧弁６ａと、水路開閉用の電磁弁６ｂと、流量調節弁（手動式）６ｃとを具備して構成されている。水道水を局部洗浄用の洗浄水として使用可能な温度に加熱して貯湯する貯湯タンク７は、前記バルブユニット６とは通水管７ａを介して接続されている。８は前記貯湯タンク７から供給される適温の洗浄水を局部に向けて噴射するノズル装置で、前記貯湯タンク７とは給湯管７ｂを介して近接した状態で下ケーシング３ｂに設置されている。９は洗浄後の局部を乾燥する温風ファンを備えた温風機である。
【００１８】
そして、前記衛生洗浄装置１の各機能部６〜９は、図２で示すように、上ケーシング３ａの一方の端部（図２の左側）に前方に向けて突出形成した操作盤３ｃ上に配設したおしり洗浄，ビデ洗浄，乾燥，停止等の各操作スイッチからなる操作手段３ｄを適宜押圧操作することにより、前記操作に対応して図示しない制御装置から前記各機能部６〜９に所要の指令信号が出力され、これら指令信号に基づいて前記各機能部６〜９をそれぞれ所定のシーケンスに従って作動するように設けられている。
【００１９】
つづいて、図３ないし図１１により前記ノズル装置８の構造について説明する。図３ないし図５で示すように、前記ノズル装置８は、駆動用モータ１３と、この駆動用モータ１３により駆動するタイミングベルト１４とを備えた駆動ユニット１０と、洗浄ノズル１５を進退自在に備えたノズルユニット１１と、洗浄ノズル１５の後背部に形成されて、前記貯湯タンク７から適温に加熱されて供給される洗浄水の流路を切換える切換手段を内蔵した流路切換装置１２とによって、概略構成されている。
【００２０】
次に、前記ノズル装置８に具備される駆動ユニット１０の構造を図３ないし図８により説明する。図４ないし図５において、１６は前部側（図４の左側）に第１の従動プーリー１７を回転自在に取付け、後部側（図４の右側）にはその上部に第２の従動プーリー１７ａを取付け、更に、前記第２の従動プーリー１７ａの取付部下側において図５，７で示すように、駆動用モータ１３を嵌合保持する嵌合孔１８を穿孔した直角三角形状のガイドベースである。そして、前記駆動用モータ１３は図７で示すように、ガイドベース１６の一方から嵌合孔１８に挿入し、この駆動用モータ１３の回転子軸１３ａが突出（図７の左側）するガイドベース１６の他方から前記嵌合孔１８に、この嵌合孔１８に形成した段差１８ａと当接する位置まで挿入した固定座１９と止着し、前記ガイドベース１６側から挿通した締付ねじ２０を固定座１９に螺着することにより、駆動用モータ１３をガイドベース１６に固定座１９を介して抜脱不能に固定する。
【００２１】
前記駆動用モータ１３を固定座１９に止着する手段としては、駆動用モータ１３のケースに突設した図示しない係止突起を固定座１９の図示しない係合孔に係着して固定するか、あるいは、駆動用モータ１３と固定座１９とを図示しない取付ねじを用いて一体的に螺合・固定する等して、駆動用モータ１３と固定座１９とを止着すればよく、この状態で、駆動用モータ１３を嵌合孔１８に固定座１９を嵌合する方向から挿入し、締付ねじ２０にて固定座１９をガイドベース１６に固定することにより、前記駆動用モータ１３をガイドベース１６に取付けるものである。
【００２２】
次に図４，７に示す２１は固定座１９に形成した軸受部１９ａを貫通して前記固定座１９から突出する駆動用モータ１３の回転子軸１３ａに止着した駆動プーリーであり、図４に示す２２は前記駆動プーリー２１と第１の従動プーリー１７との間において、ガイドベース１６に形成したテンション装置２２である。そして、前記駆動プーリー２１と、ガイドベース１６に設けた第１，第２の従動プーリー１７，１７ａとの間には、タイミングベルト１４がテンション装置２２により所定のテンションを加えられた状態で駆動可能に巻掛けられている。そして、前記タイミングベルト１４は、後述するノズルユニット１１と駆動結合されて、これを直線方向に往復動させる。
【００２３】
つづいて、図３ないし図５及び図８ないし図１３において、前記ノズル装置８に具備したノズルユニット１１と流路切換装置１２の構造について説明する。最初に、ノズルユニット１１は大別すると、適温に加熱した洗浄水を局部に向けて噴射する洗浄ノズル１５と、この洗浄ノズル１５をガイドベース１６上に滑動自在に係合保持するスライダ２３とによって構成されている。
【００２４】
又、前記流路切換装置１２は洗浄ノズル１５の流路２５ａ，２５ｂと連通する一対の流出口２６，２７を開口したハウジング２８と、このハウジング２８に収容されて前記流出口２６，２７を必要に応じて開閉して流路の切換えを行う一対の回転ドラム２９，３０と、流入口３１を有して回転ドラム２９，３０を収容したハウジング２８の開口端を被覆する閉蓋３２とによって構成されている。そして、前記切換手段を内蔵した流路切換装置１２は、図１１で示すように、洗浄ノズル１５の後背部（図１１の右方向）に洗浄水が必要に応じて洗浄ノズル１５と流通できるように直結・固定されており、ノズルユニット１１は実質的に洗浄ノズル１５と流路切換装置１２とによって構成されている。
【００２５】
最初に、前記洗浄ノズル１５は図９ないし図１１に示すように、内部を２重構造に形成したノズル本体２４と、このノズル本体２４内に区画された第１，第２の流路２５ａ，２５ｂと、前記第１の流路２５ａと連通して洗浄水を噴出するおしり洗浄用の噴出孔３３、及び第２の流路２５ｂと連通して洗浄水を噴出するビデ洗浄用の噴出孔３４とを備えて前記ノズル本体２４の先端に止着したノズルヘッド３５とによって形成されている。
【００２６】
そして、前記ノズルヘッド３５のおしり洗浄用の洗浄水の噴出孔３３は、図１２で示すように、ノズル本体２４の第１の流路２５ａと直接連通して形成されている。一方、ビデ洗浄用の洗浄水を噴出する噴出孔３４は、図１３に示すように、ノズルヘッド３５の第１の流路２５ａの外側において、壁体を穿孔してノズル本体２４の第２の流路２５ｂと連通可能に設けた補助流通孔２５ｃと連通して形成されているので、前記おしり洗浄用の噴出孔３３とは個別に区画されて洗浄水を噴出させることができる。図１３に示す１６ａは、ガイドベース１６の突端にノズルヘッド３５を囲繞するようにして形成したクリーニングチャンバーである。
【００２７】
次に、前記洗浄ノズル１５のノズル本体２４の後背部に連結・固定した洗浄水の流路切換装置１２について説明する。流路切換装置１２は、図１０及び図１１によって示すように、ノズル本体２４の後背部に第１，第２の流路２５ａ，２５ｂと連通する第１，第２の流出口２６，２７を開口したハウジング２８を連結（ノズル本体２４とハウジング２８はともに合成樹脂で形成した場合は、例えば、超音波溶接等によって固定する）し、このハウジング２８内には、第１，第２の流出口２６，２７と対応してこれを開閉するように一定の間隔を空けて形成した第１，第２の回転ドラム２９，３０を回転自在に挿入し、このあと、ハウジング２８の開口部に流入口３１を備えた閉蓋３２を被着することにより構成されている。
【００２８】
そして、前記ハウジング２８内に回転自在に挿入した一対の回転ドラム２９，３０には、その外周面に同一線上の位置で、回転ドラム２９，３０の軸方向に沿って図１７の（ａ），（ｂ）に示すように、同一幅で、しかも、回転軸３７に到達する深さにてセルフクリーニング用の第１，第２の流出溝ａ，ｂが形成されており、更に、第１の回転ドラム２９には図１７の（ａ）で示すように、前記第１の流出溝ａから反時計方向側に約１２０°離れた位置でおしり洗浄用の第３の流出溝ｃが、前記第１の流出溝ａと同一幅及び同一深さで平行に形成されており、第２の回転ドラム３０には、図１７の（ｂ）で示すように、第２の流出溝ｂから反時計方向側に約４５°離れた位置でビデ洗浄用の第４の流出溝ｄが、第２の流出溝ｂと同一の幅及び深さで平行に形成されている。
【００２９】
そして、回転ドラム２９，３０をハウジング２８に取付ける場合は、第１，第２の流出溝ａ，ｂをそれぞれ図１４の（ａ），（ｂ）で示すように、ハウジングの第１，第２の流出口２６，２７と相対応させて挿入する。この後、ハウジング２８の開口部を閉蓋３２により閉鎖することにより、回転ドラム２９，３０はハウジング２８内にＯリング等のシール部を介して水密的に、かつ、回転自在に挿入保持される。なお、図１１中・３１ａは第１，第２の回転ドラム２９，３０の間の狭隘な通路３１ｂに嵌入させたストッパーで、閉蓋３２に取付けられて回転ドラム２９，３０がハウジング２８から抜脱するのを防ぐ。
【００３０】
更に、前記洗浄ノズル１５の後背部に連結した流路切換装置１２の下部には、図８に示すように、ハウジング２８の両端部下側に形成したコ字状の凹溝３８，３８を有する係合段部３９，３９を設け、この係合段部３９，３９を図４，８に示すようにガイドベース１６の前記スライダ２３の長さ方向と直交する幅方向に並設した一対のガイドレール２３ａに係合させることにより、前記洗浄ノズル１５を具備したノズルユニット１１はガイドレール２３ａに沿って進退可能に滑動する。
【００３１】
又、前記流路切換装置１２の上部には、図３，４に示すタイミングベルト１４側に向ってジョイント４０が延設されており、駆動プーリー２１及び従動プーリー１７，１７ａに巻掛たタイミングベルト１４を、前記ジョイント４０に滑動不能に挟着することにより、駆動ユニット１０の一部を構成するタイミングベルト１４と洗浄ノズル１５とを駆動可能に結合し、駆動用モータ１３の駆動によって洗浄ノズル１５をガイドベース１６のスライダ２３に沿って進退（図２の前後方向）可能に滑動させる。
【００３２】
なお、駆動ユニット１０には、図５及び図８に示すように、洗浄ノズル１５に直線的に連結した流路切換装置１２を駆動する手段が付設されており、この駆動手段は図１１で示すように、回転ドラム２９，３０を収容したハウジング２８から突出する回転軸３７の突出端に止着したピニオン４１と、図５に示すようにガイドベース１６のスライダ２３に沿って平行に形成した前記ピニオン４１と噛合するラック４２とからなり、前記洗浄ノズル１５がスライダ２３上を滑動する際、ピニオン４１もラック４２に噛合した状態で回転する。
【００３３】
従って、回転ドラム２９，３０はピニオン４１により回転し、流入口３１と流出口２６，２７とを回転ドラム２９，３０に設けた第１〜第４の流出溝ａ〜ｄを介して連通させ、洗浄水を貯湯タンク７から貯湯タンク７と流路切換装置１２の流入口３１とを接続する給湯管７ｂを介して流路切換装置１２及び洗浄ノズル１５に供給し、ノズルヘッド３５の所定の噴出孔３３，３４から洗浄水を噴出させて局部の洗浄を行うものである。
【００３４】
次に、ノズル装置８の洗浄ノズル１５を駆動して局部洗浄を行う場合について説明する。最初に、洗浄ノズル１５のノズルヘッド３５をクリーニングする場合について説明する。この場合、洗浄ノズル１５に併設した流路切換装置１２の回転ドラム２９，３０は、図１４の（ａ），（ｂ）に示すように、第１，第２の流出溝ａ，ｂが、ハウジング２８の第１，第２の流出口２６，２７とあらかじめ連通状態を維持するように設定されている。そして、この状態で、例えば、図２に示す操作盤３ｃ上のおしり洗浄用の操作手段３ｄを操作すると、バルブユニット６の電磁弁６ｂが図示しない制御装置からの指令信号により開放され、所定の水圧に減圧された例えば、水道水等の冷水が通水管７ａを介して貯湯タンク７に給送される。
【００３５】
貯湯タンク７内の適温に加熱された洗浄水は、冷水の流入により給湯管７ｂを通って流路切換装置１２の流入口３１に流入し、図１１に示す狭隘な流路３１ｂを潜って図１４の（ａ），（ｂ）に示す回転ドラム２９，３０の流出溝ａ，ｂ→ハウジング２８の流出口２６，２７→洗浄ノズル１５の第１，第２の流路２５ａ，２５ｂを流通し、図１２，図１３に示すノズルヘッド３５に形成したおしり及びビデ洗浄用の噴出孔３３，３４から一定時間噴出する。この際、前記洗浄ノズル１５は図４に示すように、駆動用モータ１３の停止により原位置に留まっているため、前記噴出した洗浄水は、図１２，１３に示すように、クリーニングチャンバー１６ａに遮られてそのままノズルヘッド３５上に落下し、ノズルヘッド３５の表面を前記クリーニングチャンバー１６ａの中で洗い流し、ノズルヘッド３５を衛生的に保持する。
【００３６】
前記のように、ノズルヘッド３５のクリーニングが終了すると、バルブユニット６の電磁弁６ｂは制御装置からの指令信号によって一旦閉鎖して洗浄水の噴出を中止する。電磁弁６ｂが閉鎖すると、駆動用モータ１３が制御装置からの指令信号に基づき通電され起動する。前記駆動用モータ１３の起動により駆動プーリー２１が駆動し、この駆動プーリー２１と従動プーリー１７，１７ａに巻掛けたタイミングベルト１４にジョイント４０を介して駆動可能に連結した洗浄ノズル１５は、図６のようにガイドベース１６上をスライダ２３に沿って滑動し、図６に実線で示すノズルヘッド３５に設けたおしり洗浄用洗浄水の噴出孔３３をおしり洗浄の位置まで進出させる。一方、ガイドベース１６に併設したラック４２と噛合するピニオン４１を回転自在に具備した流路切換装置１２も、前記洗浄ノズル１５の滑動と連動してピニオン４１が回転して起動を開始する。
【００３７】
前記のように、洗浄ノズル１５の滑動により、その滑動力がラック４２→ピニオン４１を通じて回転運動に変換され、流路切換装置１２の切換手段となる回転ドラム２９，３０を図１４の（ａ），（ｂ）において反時計方向に回動する。そして、図１５の（ａ）で示すように、第１の回転ドラム２９のおしり洗浄用の第３の流出溝ｃが、第１の流出口２６と合致（連通）すると、駆動用モータ１３は制御装置からの指令信号にてその駆動を停止する。又、洗浄ノズル１５もその進出を中止する。
【００３８】
このように、駆動用モータ１３の起動により洗浄ノズル１５の進出動作と、回転ドラム２９の回動動作は連動して、ノズルヘッド３５の噴出孔３３をおしり洗浄位置に、回転ドラム２９の第３の流出溝ｃは第１の流出口２６と合致する位置までそれぞれ移動させる。その際、第２の回転ドラム３０に設けたビデ洗浄用の第４の流出溝ｄは、第３の流出溝ｃに比べてセルフクリーニング用の第２の流出溝ｂに近接して形成されているため、図１５の（ｂ）で示すように、第２の流出溝２７と合致して連通することはない（即ち、洗浄水を流出口２７に流出させない）。
【００３９】
洗浄ノズル１５のおしり洗浄用の噴出孔３３が所定の洗浄位置に進出して駆動用モータ１３が停止すると、図示しない制御装置からの指令信号により電磁弁６ｂが再開放し、冷水を貯湯タンク７に給水すると同時に、貯湯タンク７内の洗浄水は、給湯管７ｂから前記ノズルヘッド３５のクリーニング時と同様に流路切換装置１２の流入口３１からその内部に流入し、回転ドラムの第３の流出溝ｃ→第１の流出口２６→洗浄ノズル１５の第１の流路２５ａを通ってノズルヘッド３５の噴出孔３３から、適温に加熱された洗浄水を噴出しておしり洗浄を行う。なお、洗浄途中で洗浄水の噴出量を調節する場合は、流量調節弁６ｃの操作摘６ｅ（図２参照）を操作して洗浄水の噴出量を調整する。
【００４０】
おしり洗浄が終了した場合は、操作盤３ｃ上に配置されている操作手段３ｄの中の停止スイッチを手動操作すると、バルブユニット６の電磁弁６ｂは制御装置からの指令信号により閉鎖して冷水の供給を停止する。前記電磁弁６ｂの閉鎖に伴い洗浄水のノズル装置８への供給が停止され、洗浄水のおしり洗浄用の噴出孔３３からの噴出は終了し、おしり洗浄を終える。
【００４１】
前記洗浄水の噴出が停止すると、制御装置からの指令信号により駆動用モータ１３が逆方向に回転し、タイミングベルト１４にてノズルユニット１１の洗浄ノズル１５を図６の上部側に後退させて図２に示す原位置に戻す。又、前記洗浄ノズル１５の後退開始と同時に、流路切換装置１２のピニオン４１も、洗浄ノズル１５の進出時とは逆方向にラック４２上を回動し、前記ピニオン４１と連結している回転軸３７により回転ドラム２９，３０を、図１５の（ａ），（ｂ）において、おしり洗浄時とは逆方向（時計方向）に回動し、洗浄ノズル１５が原位置に復帰（後退）した時点で、図１４の（ａ），（ｂ）に示すように、回転ドラム２９，３０の第１，第２の流出溝ａ，ｂをハウジング２８の第１，第２の流出口２６，２７と連通（合致）させる。即ち、回転ドラム２９，３０の回動を、洗浄ノズル１５のノズルヘッド３５をセルフクリーニングできる位置まで後退させることにより、駆動用モータ１３は制御装置からの指令信号によって停止する。
【００４２】
洗浄ノズル１５が原位置に戻ると、制御装置から電磁弁６ｂを再開放させる指令信号の出力により、電磁弁６ｂは開放され洗浄水を再度流路切換装置１２を通して洗浄ノズル１５に給送し、おしり，ビデの両噴出孔３３，３４から洗浄水を噴出させてノズルヘッド３５の洗浄を行い、ノズルヘッド３５を再度クリーニングチャンバー１６ａの中で洗浄して清潔に保つ。洗浄後は電磁弁６ｂは再閉鎖して次の洗浄に備える。
【００４３】
次に、ビデ洗浄を行う場合も、前記おしり洗浄と同様の操作を行なえばよいので、詳細な説明は割愛する。このビデ洗浄は最初にビデ洗浄用の操作手段３ｄを投入し、電磁弁６ｂの開放に伴い、貯湯タンク７内の洗浄水を洗浄ノズル１５に給送してノズルヘッド３５のクリーニングを行う。つづいて、駆動用モータ１３が制御装置からの指令信号により駆動し、洗浄ノズル１５をタイミングベルト１４によりビデ洗浄が可能な位置（図６に２点鎖線で示す位置）まで進出させると同時に、流路切換装置１２も同様に駆動し、図１６の（ａ），（ｂ）に示すように、回転ドラム２９，３０を、図１４の（ａ），（ｂ）の状態において、反時計方向に回動し、第２の回転ドラム３０に設けた第４の流出溝ｄを図１６の（ｂ）で示すように、第２の流出口２７と連通させる。一方、第１の回転ドラム２９は同じく図１６の（ａ）で示すように、第３の流出溝ｃを第１の流出口２６を通り越して前記第１の流出口２６を閉塞する位置まで回動させる。
【００４４】
前記ビデ洗浄時における流路切換装置１２の駆動は、電磁弁６ｂが再閉鎖されて洗浄水が流路切換装置１２内に侵入しないので、前記第１の回転ドラム２６がラック４２と噛合するピニオン４１によって回動し、第３の流出溝ｃが第１の流出口２６と瞬間的に合致し、洗浄水が洗浄ノズル１５内に流入しておしり洗浄用の噴出孔３３から噴出するということを確実に防ぐ。そして、洗浄ノズル１５が図６に２点鎖線で示す所定位置まで進出し、流路切換装置１２のビデ洗浄用の流路が開放されると、駆動用モータ１３は停止し、逆に電磁弁６ｂが開放されて洗浄水を洗浄ノズル１５の第２の流路２５ｂに給送し、ビデ洗浄用の噴出孔３４から噴出させてビデ洗浄を行う。
【００４５】
ビデ洗浄が終了すると、おしり洗浄と同様に電磁弁６ｂが閉鎖されると同時に、駆動用モータ１３が再起動して洗浄ノズル１５と、回転ドラム２９，３０をそれぞれ原位置に戻す。この後、電磁弁６ｂが再開放され、洗浄水を噴出孔３３，３４から噴出させてノズルヘッド３５のクリーニングを行い、ノズルヘッド３５を常に衛生的に保持し、次の使用に備える。
【００４６】
【発明の効果】
本発明は、以上説明したように構成したので、次に示すような効果を有する。
【００４７】
（１）本発明では、ノズル装置は、適温の洗浄水を流通させる流路を内部に２系統備える洗浄ノズルをガイドベース上に滑動自在に保持して駆動ユニットによって往復移動可能とするとともに、洗浄水を洗浄ノズルの任意の流路に切換えて給送する回転ドラムを回転自在に収容した流路切換装置を設け、前記ガイドベースに保持した駆動源で前記洗浄ノズルをガイドベース上に往復移動させたときに、洗浄ノズルの進退動作によって前記回転ドラムを回転させることにより洗浄水の流路を切り換えるように構成したので、洗浄ノズルと流路切換装置とを同一駆動源にて駆動することができ、衛生洗浄装置に使用するノズル装置を簡素な構造で、しかも、設置スペースを大きくとることなく設置でき至便である。
【００４８】
（２）  又、流路切換装置は洗浄ノズルの後背部に一体化させて取付けられており、しかも、洗浄水の流路切換手段は、洗浄ノズルの進退度合に追随させて洗浄ノズルの流路と連通するように形成されているため、洗浄水の配管系統が簡素化でき、かつ、ノズル装置の小形・軽量化がはかれるので、ノズル装置を狭隘なケーシング内のスペースを有効に活用して設置できるという利点もある。
【００４９】
（３）  更に、ノズル装置の洗浄ノズルは、駆動源に対してプーリー及びタイミングベルトにて駆動結合でき、一方、洗浄ノズルと流路切換装置は、洗浄ノズルが進退する場合の直線運動を、ラックとピニオンとからなる駆動連結手段により回転運動に変換して駆動結合されているので、洗浄ノズルと流路切換装置とを連動させて駆動することが簡易に行い得、しかも、流路切換装置内の流路切換手段（回転ドラム）は、洗浄ノズルの直線運動をそのまま回転運動に変換して洗浄水の流路の切換や流路の閉鎖が洗浄ノズルの進退度合に即応して行うことができるので、洗浄水の無駄な通水が排除できることはもとより、ノズル装置は一つの駆動源で迅速・確実に駆動制御でき、しかも、駆動源及びその制御手段の簡略化もはかれるため、簡素な構造で経済的な製作が可能となる。
【図面の簡単な説明】
【図１】本発明のノズル装置を備えた衛生洗浄装置を便器本体に据付けた状態を示す斜視図である。
【図２】同じく、衛生洗浄装置を便器本体に据付けた状態を示す平面図である。
【図３】本発明のノズル装置の平面図である。
【図４】ノズル装置の正面図である。
【図５】流路切換装置の駆動手段を示すノズル装置の背面図である。
【図６】ノズル装置の駆動状態を示す平面図である。
【図７】駆動用モータをガイドベースに取付けた状態を示す断面図である。
【図８】洗浄ノズルとガイドベースとの係合関係を説明するための説明図である。
【図９】洗浄ノズルの平面図である。
【図１０】洗浄ノズルの縦断面図である。
【図１１】洗浄ノズルの横断平面図である。
【図１２】洗浄ノズルのヘッド部分の縦断側面図である。
【図１３】同じく縦断正面図である。
【図１４】図中、（ａ），（ｂ）は洗浄ノズルのクリーニング時の流路切換装置の動作を説明するための動作説明図である。
【図１５】図中、（ａ），（ｂ）はおしり洗浄時の流路切換装置の動作を説明するための動作説明図である。
【図１６】図中、（ａ），（ｂ）はビデ洗浄時の流路切換装置の動作を説明するための動作説明図である。
【図１７】（ａ）はおしり洗浄用の回転ドラムを、（ｂ）はビデ洗浄用の回転ドラムをそれぞれ示す縦断面図である。
【図１８】従来の衛生洗浄装置の配管系統を概略的に示す構成図である。
【図１９】従来の衛生洗浄装置を示す平面図である。
【符号の説明】
１  衛生洗浄装置
６  バルブユニット
７  貯湯タンク
８  ノズル装置
１１  ノズルユニット
１２  流路切換装置
１３  駆動用モータ
１４  タイミングベルト
１５  洗浄ノズル
１６  ガイドベース
１７，１７ａ  従動プーリー
２１  駆動プーリー
２４  ノズル本体
２６，２７  第１，第２の流出口
２８  ハウジング
２９，３０  第１，第２の回転ドラム
３１  流入口
３２  閉蓋
３５  ノズルヘッド
４１  ピニオン
４２  ラック
ａ，ｂ，ｃ，ｄ  流出溝
【図１】
0003588199.tif 000002
【図２】
0003588199.tif 000003
【図３】
0003588199.tif 000004
【図４】
0003588199.tif 000005
【図５】
0003588199.tif 000006
【図６】
0003588199.tif 000007
【図７】
0003588199.tif 000008
【図８】
0003588199.tif 000009
【図９】
0003588199.tif 000010
【図１０】
0003588199.tif 000011
【図１１】
0003588199.tif 000012
【図１２】
0003588199.tif 000013
【図１３】
0003588199.tif 000014
【図１４】
0003588199.tif 000015
【図１５】
0003588199.tif 000016
【図１６】
0003588199.tif 000017
【図１７】
0003588199.tif 000018
【図１８】
0003588199.tif 000019
【図１９】
0003588199.tif 000020